(57)【要約】【課題】延撚機で巻き取られた撚糸パーンを、その場所で直ぐに検査と梱包を同時に行うことのできる移動式延燃糸パーンの検査、梱包装置を提供する。【解決手段】延撚機で巻き取られた撚糸パーンの検査と梱包を行う装置であって、延撚機から撚糸パーンを吊り上げるためのハンガー７と、ハンガー７を円周方向に自在に旋回させることができる旋回支持体３と、旋回支持体３が取り付けられ、自由に移動できる台車１からなる。本発明の移動式延撚糸パーンの検査、梱包装置を用いれば、延撚機よりパーンを揚げて、その場で検査と梱包を特に非力な作業者でも連続して行うことができ、作業要員も１人で連続作業が可能となる。【選択図】        図１
2004168511.tif 000002
【特許請求の範囲】
【請求項１】
延撚機で巻き取られた撚糸パーンの検査と梱包を行う装置であって、延撚機から撚糸パーンを吊り上げるためのハンガーと、前記ハンガーを円周方向に自在に旋回させることができる旋回支持体と、前記旋回支持体が取り付けられ、移動可能な台車からなることを特徴とする移動式延燃糸パーンの検査、梱包装置。
【発明の詳細な説明】
【０００１】
【発明の属する技術分野】
本発明は、延撚機で巻き取られた撚糸パーン（以下、パーンと称すことがある）を、その場所で直ぐに検査と梱包を同時に行うことのできる移動式延燃糸パーンの検査、梱包装置に関するものである。
【０００２】
【従来の技術】
ポリエステル等合成繊維の製造工程において、従来は延撚機で巻き取られたパーンを直接スタンドに一旦手揚げを行い、台車でストックラインに搬入したパーンをフリーバランサーで吊り揚げて表面の外観を検査し、梱包工程に搬送してケース詰め、封函が行われている。
【０００３】
このような工程作業において、従来の延撚機では、直接手でパーンを掴みスタンドに揚げる。そのため手揚げ作業で腕や肩に大変な負担が掛かり、腱鞘炎や関節の痛みを誘発する。また、パーンを掴み損ねて落下や汚れの発生が起こりやすいという問題もある。
【０００４】
また、一旦製品を上げたスタンドやパレットを、台車に乗せて検査ストックラインまで搬送するロス時間と受け払い出しを行う作業者が必要になるという問題がある。
【０００５】
さらに、検査ストックラインに銘柄別に製品を保管してから、フリーバランサーのハンガーに吊り揚げて外観検査を行い、選別作業後製品に袋をかぶせてカートンケース（段ボールケース）にパーンを入れ封函しなければならない。したがって、吊り上げ作業、外観検査選別作業、カートンケース詰め込み作業、ケースの封函作業と作業場の分別が必要となるので広い作業スペースが必要となる。また、各作業に人員の配置が必要となり、コストの上昇を招くという問題もある。
【０００６】
また、捲取装置で捲取ったパーンを一度貯蔵し、その後、貯蔵されたパーンを順々にコンベア等の移送手段によって重量測定位置に導くようにした検査装置が提案されている（特許文献１参照）。しかし、この装置は、移送装置が大きくなったり、別途、カートンケース詰め込み作業の広い作業スペースや人員が必要となる等、上記と同様の問題がある。
【０００７】
【特許文献１】
特開平５−２６２４５７号公報（（請求項１）、（００２２））
【０００８】
【発明が解決しようとする課題】
本発明は、上記した問題点を解決し、延燃機で撚糸パーンを揚げる際に、腕や肩に負担を掛けず、また分担作業者の配置をなくし、その場で直ぐに検査し製品を袋に被せ、カートンケースに詰め込み封函まで一連作業を作業員１人で完了することができる移動式延燃糸パーンの検査、梱包装置を提供するすることを技術的な課題とするものである。
【０００９】
【課題を解決するための手段】
本発明者らは、上記した課題を解決するため鋭意検討した結果、自在に円周方向に旋回する支持体及びハンガーと一体となった装置を用いて、延撚機でパーンの切り替えを行う際に、自由に移動できる台車にパーンを吊り揚げ、その場で検査と梱包を行うことにより、人的負担を軽減できことを見出して本発明に到達した。
すなわち、本発明は、延撚機で巻き取られた撚糸パーンの検査と梱包を行う装置であって、延撚機から撚糸パーンを吊り上げるためのハンガーと、前記ハンガーを円周方向に自在に旋回させることができる旋回支持体と、前記旋回支持体が取り付けられ、移動可能な台車からなることを特徴とする移動式延燃糸パーンの検査、梱包装置を要旨とするものである。
【００１０】
【発明の実施の形態】
以下、本発明について詳細に説明する。
図１は本発明の移動式延燃糸パーンの検査、梱包装置の一実施態様を示す斜視図であり、移動式の台車１に自在に回転できる旋回支持体３と吊り上げに用いるハンガー７とを設置した検査、梱包装置の例である。
図１において、１は車輪を有する移動式の台車、２は台車１に下部が固定された固定支持体、３は支持体２で下部が支持され、円周方向に自在に旋回できる円柱状の旋回支持体、４はパーンを吊り揚げる回転捲のバランススプリング、５はパーンを吊り揚げるワイヤーロープ、６は滑車、７はパーントップを引っ掛けるハンガー、８はカートンケースである。
【００１１】
円筒状の固定支持体２の下部を台車１に固定し、バランススプリング４を取り付ける旋回支持体３は、旋回支持体３の円柱棒の下部側が刀の鞘に納まるように、円筒状の固定支持体２中に差し込むことにより、移動式の台車１にパーンを梱包するカートンケース８を乗せ、延撚機よりパーンを取り出す際、旋回支持体３とバランススプリング４とハンガー７までが一体となって円周方向に自在に回転できることが好ましい。
【００１２】
バランススプリング４は１Ｋｇ〜５Ｋｇ程度のパーンを吊り揚げる回転バネ式であり、ワイヤーロープ５で滑車６を経由しハンガー７に固定されいる。吊り揚げるためのワイヤーはステンレス製で２〜３ｍｍ程度の太さが好ましい。
【００１３】
移動式の台車１には車輪が取り付けてあり、台車１のカートンケース８を乗せる面には、台車１上からカートンケース８に梱包された製品を払い出すためのローラーコンベアを設けるのが、作業性もよく好ましい。
【００１４】
本発明の装置を用いて、延燃機で巻き取られたパーンを揚げるに際し、ハンガー７を円周方向に旋回させてパーンを吊り上げ、そのまま、あるいはハンガー７を旋回させてパーンを検査し、次いで検査済のパーンに袋を被せた後、ハンガー７を旋回させ、パーンを吊り下げて、台車１上のカートンケース８に収納し、カートンケース８がパーンで満杯になれば、梱包して払い出すものである。
【００１５】
したがって、本発明の装置を用いれば、延燃機でパーンを揚げる際に、腕や肩に負担を掛けず、また分担作業者の配置をなくし、その場で直ぐに検査し、製品に袋を被せ、カートンケースに詰め込み、封函まで一連作業を作業員１人で完了することが可能となる。
【００１６】
【実施例】
次に、本発明を実施例によつて具体的に説明する。
実施例１
図１に示す本発明の移動式延燃糸パーンの検査、梱包装置を用い、延燃機の１台分に相当するパーン質量３，５００ｇ捲き１４４本を、その場で移動式の吊り揚げ検査と梱包を行い、カートンケースに梱包する迄の作業を女子２名で３ヶ月間実施した。なお、前記装置は延撚機１機台に２台取り付け、延撚機４機台で実施した。
３ヶ月間で検査と梱包をパーン本数約５１，０００本、４，２５０カートンケース梱包を実施した。
女子１名で延燃機１機台のパーンを１４４本を検査し、梱包封函までの作業時間は平均で約１時間で完了することができた。
【００１７】
比較例１
延燃機に本発明の移動式延燃糸パーンの検査、梱包装置を取り付けず、現状設備でパーンをパレットスタンドに揚げ、次にパーンの乗ったパレットを搬送台車に移し、検査工程に送りパーンをストックし、検査設備の搬送フリーバランサーのハンガーに吊り揚げ検査し、梱包工程に送り封函を行う作業を行った。
この場合、延撚機から３，５００ｇのパーン１４４本を、手でトップ部を掴みパレットに揚げる作業は、手首、腕、肩に負担が掛かり、非力な作業員では１４４本を連続で作業することが無理であった。
また、パレットに１２本単位で乗せたパーン４２Ｋｇとパレット質量１０ｋｇを合わせた５２ｋｇを搬送台車に移し替えるのも一般的な女子作業者では、腰に負担が掛かり無理であった。
なお、その他の作業であるフリーバランサーのハンガーに吊り揚げ検査、梱包、封函作業は女子でも負担なく行うことができた。
【００１８】
したがって、本発明の移動式延燃糸パーンの検査、梱包装置を用いずに検査、梱包作業を行った場合、パーンをパレットに揚げる作業と、その製品を搬送台車に払い出すのに、男子人員の配置が必要になり、女子１人の作業では無理である。
また、延撚機から１４４本のパーンを現状設備でパレットに揚げて梱包封函終了までに要する時間は平均３時間掛り、本発明の移動式撚糸パーンの検査、梱包装置を取り付けた場合に比較して作業性も作業消化時間も悪かった。
本発明の装置を使用して作業した場合は、女子でも延撚機からパーンを揚げ、検査、梱包まで連続作業しても、最終梱包工程まで１人で作業可能であった。
【００１９】
【発明の効果】
本発明の移動式延撚糸パーンの検査、梱包装置を用いれば、延撚機よりパーンを揚げて、その場で検査と梱包を特に非力な作業者でも連続して行うことができ、作業要員も１人で連続作業が可能となる。
【図面の簡単な説明】
【図１】本発明の移動式延撚糸パーンの検査、梱包装置の一実施態様を示す斜視図である。
【符号の説明】
１  移動式の台車
２  固定支持体
３    旋回支持体
４    バランススプリング
５  ワイヤーロープ
６  滑車
７  ハンガー
８  カートンケース
【図１】
2004168511.tif 000003